(57)【特許請求の範囲】
【請求項１】
四辺端面(１５)、(１６)、(１７)、(１８)が密閉シールされて中空空気層(１４)が形成されたプラスチックダンボール部材(１０)の一方のパネル全面(１１)に、クラフト紙等の上質紙、合成紙、ミラーコート紙、不織布、塩化ビニール等の柔軟性、屈撓性に富んだシート基材(２０)の一方の全面に、２０〜４０ミクロンの中空セラミックビーズとアクリル樹脂及び水との混合液塗料による機能性塗料層(２１)が均一に塗着乾燥加工されて成るシート部材(１９)がその前記機能性塗料層(２１)を外側に向け接着剤層(２２)を介して接着されると共に、前記プラスチックダンボール部材(１０)の他方のパネル全面(１２)には、ゴム又は鉛をシート状とした防音性シート部材(２３)が接着剤層(２４)を介して接着されて成る機能性パネル。
【発明の詳細な説明】
【０００１】
【発明の属する技術分野】
本発明は、建物の屋根瓦の下、壁の内側、床暖の下や寒冷地における結露防止や凍結防止等の保温に用いて高い断熱効果、射熱効果、防音効果、耐火効果等の諸効果が得られる機能性パネルに関するものである。
【０００２】
【従来の技術】
２０〜４０ミクロンの中空セラミックビーズ４５％とアクリル樹脂２５％及び水３０％との混合液塗料を構造体に塗布して乾燥させると、構造体の表面を隙間なく２０〜４０ミクロンの中空セラミックビーズが覆うことにより保護層、断熱層、防水層、防音層が形成されて、これらの諸効果が得られる機能性塗料が知られており、更にこの機能性塗料は、一般的な断熱材、防水材、防音材に比べ、僅か０．８〜２．０mmの厚みで発泡スチロール材約１００mmと同等の断熱効果、防水シートと同等の防水性、ベニア板５mmと同等の防音性を発揮することも知られており、建物の屋根や外壁、内装その他の構造体に用いられている。
【０００３】
そこで、この機能性塗料による諸効果に着目して、本特許出願人は、テープ基材の一方側全面にこの機能性塗料層を形成した機能性テープについて特許出願（特願２０００−２３８１３３）をした。
【０００４】
【発明が解決しようとする課題】
この特願２０００−２３８１３３に係る機能性テープは、それなりの断熱等の諸効果は奏するものの、十分とは言えず、更なる諸効果の向上が求められていた。
【０００５】
本発明は、このような要請に応答すべくなされたもので、その目的とするところは、高い断熱・射熱・防音及び耐火効果が得られる機能性パネルを提供することにある。
【０００６】
【課題を解決するための手段】
この目的のため、請求項１に係る発明は、四辺端面(１５)、(１６)、(１７)、(１８)が密閉シールされて中空空気層(１４)が形成されたプラスチックダンボール部材(１０)の一方のパネル全面(１１)に、クラフト紙等の上質紙、合成紙、ミラーコート紙、不織布、塩化ビニール等の柔軟性、屈撓性に富んだシート基材(２０)の一方の全面に、２０〜４０ミクロンの中空セラミックビーズとアクリル樹脂及び水との混合液塗料による機能性塗料層(２１)が均一に塗着乾燥加工されて成るシート部材(１９)がその前記機能性塗料層(２１)を外側に向け接着剤層(２２)を介して接着されると共に、前記プラスチックダンボール部材(１０)の他方のパネル全面(１２)には、ゴム又は鉛をシート状とした防音性シート部材(２３)が接着剤層(２４)を介して接着されて成る構成を特徴とするものである。
【０００７】
【発明の実施の形態】
本発明の実施の形態について図面を参照し、その作用と共に説明する。
【０００８】
図１は本発明に係る機能性パネルの一例での一部省略の平面図、図２は図1における２−２線に沿った拡大断面図、図３は図１の３−３線に沿った拡大断面図で、これら図において、本機能性パネルはプラスチックダンボール部材、シート部材及び防音性シート部材を含んでいる。
【０００９】
プラスチックダンボール部材１０は、一方のパネル面部１１と他方のパネル面部１２及び多数の仕切パネル部１３とで一定方向に等間隔で多数の中空空気層１４が押し出し成型により一体成型され、かつ中空空気層１４内の空気を動かさないようにするため、四辺端面１５〜１８は密閉シールされている。
【００１０】
なお、プラスチックダンボール部材１０の樹脂材としてはポリカーボネイト、ポリプロピレン、ポリスチレン、ＡＢＳ（アクリロニトル、ブタジェン、スチレン）系樹脂等が挙げられるが、好ましくは、耐熱性・耐久性の点からポリカーボネイト樹脂が望ましい。
【００１１】
又、プラスチックダンボール部材１０の大きさ、厚さ等の寸法は用途によって適宜に選択される。
【００１２】
シート部材１９は、クラフト紙等の上質紙、ミラーコート紙、不織布、ポリプロピレン、ポリエチレン、ポリエステル、塩化ビニール等の柔軟性・屈撓性に富んだ基材にして、かつ好ましくは長尺のロール状とされたシート基材２０の一方の全面に、均一な厚み（好ましくは、０．８〜２．０mmの厚み）をもって機能性塗料層２１が定着力を増大させるため、アンカーコーティング手段（プライマー加工）又はコロナ放電処理手段による塗着乾燥加工によって形成されている。
【００１３】
機能性塗料層２１は、２０〜４０ミクロンの中空セラミックビーズとアクリル樹脂及び水との混合液塗料、好ましくは、２０〜４０ミクロンの中空セラミックビーズ４５％とアクリル樹脂２５％及び水３０％との混合液塗料が樹脂フィルム基材２１に均一に塗布されて乾燥固化せられたもので、シート基材２０の表面は隙間なく２０〜４０ミクロンの中空セラミックビーズにより覆われることにより保護層・防水層・防音層が形成されてこれらの諸効果が得られるものである。
【００１４】
そして、このシート部材１９はその機能性塗料層２１の面を外側にし、接着剤層２２を介してプラスチックダンボール部材１０の一方のパネル面１１に接着されている。
【００１５】
防音性シート部材２３は、ゴム又は鉛が薄いシート状とされたものであって、８０ホーンの騒音が約半分の４０ホーンに下がる程の防音効果或いは遮音効果を有している。
【００１６】
そして、この防音性シート部材２３は接着剤層２４を介してプラスチックダンボール部材１０の他方のパネル面１２に接着されている。
【００１７】
このように構成された本機能性パネルは、図４に例示されているように、建物の壁等の構造体１００における外側（外気側）壁面部１０１と内側（室内側）壁面部１０２との空間部103に、シート部材１９側を外側（外気側）壁面部１０１に向けた状態で介装され、壁の内装構造材として使用される。
【００１８】
【発明の効果】
しかして、本発明に係る機能性シートによれば、中の空気が動かないように四辺端面１６〜１８が密閉シールされて中空空気層１４が形成されたプラスチックダンボール部材１０と、該プラスチックダンボール部材１０の一方のパネル面に接着されたシート部材２０と他方のパネル面に接着された防音性シート部材２３との相乗作用によって高い断熱効果・射熱効果及び防音（遮音）効果が得られる。
【図面の簡単な説明】
【図１】    本発明に係る機能性パネルの一例での一部省略の平面図である。
【図２】    図１の２−２線に沿った拡大断面図である。
【図３】    図１の３−３線に沿った拡大断面図である。
【図４】    使用状態の一例を示す部分的拡大断面図である。
【符号の説明】
１０    プラスチックダンボール部材
１１    プラスチックダンボール部材の一方のパネル面
１２    プラスチックダンボール部材の他方のパネル面
１４    中空空気層
１５〜１８    プラスチックダンボール部材の四辺端面
１９    シート部材
２０    シート基材
２１    機能性塗料層
２２、２４    接着剤層
２３    防音性シート部材
【図１】
0003650374.tif 000002
【図２】
0003650374.tif 000003
【図３】
0003650374.tif 000004
【図４】
0003650374.tif 000005